(57)【要約】【課題】コストアップを抑制しつつ衣類の噛み込みを抑制可能な洗濯機乾燥機を提供する。【解決手段】  水を溜める外槽と，該外槽内に回転可能に設けた洗濯兼脱水槽である内槽と，該内槽を回転駆動するモータと，前記内槽の上部に設けられた流体バランサと、前記外槽の上面に設けられた槽カバーと，前記槽カバーに設けられ、衣類投入口を覆うように設けられた内蓋と、を備え，前記槽カバーの裏側に凸形状を有する凸部を設けた。【選択図】図６
2018192176.tif 000002
【特許請求の範囲】
【請求項１】
水を溜める外槽と，該外槽内に回転可能に設けた洗濯兼脱水槽である内槽と，該内槽を回転駆動するモータと，前記内槽の上部に設けられた流体バランサと、前記外槽の上面に設けられた槽カバーと，前記槽カバーに設けられ、衣類投入口を覆うように設けられた内蓋と、を備え，
前記槽カバーの裏側に凸形状を有する凸部が設けられたことを特徴とする洗濯乾燥機。
【請求項２】
請求項１に記載の洗濯乾燥機であって、
前記槽カバーの裏側かつ前方側及び後方側に前記凸部が設けられたことを特徴とする洗濯乾燥機。
【請求項３】
請求項２に記載の洗濯乾燥機であって、
前記後方側に設けられた前記凸部の領域の面積は、前記前方側に設けられた前記凸部の領域の面積よりも大きいことを特徴とする洗濯乾燥機。
【請求項４】
請求項１に記載の洗濯乾燥機であって、
前記凸部は、前記流体バランサの上面より下方にあり、前記流体バランサの下面よりも上方にあることを特徴とする洗濯乾燥機。
【請求項５】
請求項４に記載の洗濯乾燥機であって、
前記流体バランサの内周側には傾斜面が設けられていることを特徴とする洗濯乾燥機。
【発明の詳細な説明】
【技術分野】
【０００１】
本発明は，洗濯乾燥機に関するものである。
【背景技術】
【０００２】
特開２０１５−４３８６６号公報（特許文献１）には「洗濯物を収容する内槽３と、内槽３を内包して洗濯水を溜める外槽４と、内槽３の上部に取り付けられるバランスリング５と、外槽４の開口部４ａを覆う槽カバー６と、槽カバー６に形成された開口部６ａを開閉する内蓋７と、を備え、内蓋７を閉じたときの当該内蓋７の裏面の環状面部７ａ４は、バランスリング５の上面５ｅよりも低い位置に設定されている。」と記載されている。
【先行技術文献】
【特許文献】
【０００３】
【特許文献１】特開２０１５−４３８６６号公報
【発明の概要】
【発明が解決しようとする課題】
【０００４】
特許文献１に記載の洗濯機乾燥機では，内蓋の裏面の最下面に位置する環状面部（凸部）により、衣類の噛み込み対策をしている。しかし，この洗濯機乾燥機においては、例えば脱水中に衣類が環状面部（凸部）に接触することにより、内蓋が開いてしまうおそれがあり、その対策として、内蓋のロック手段が外れないようにロック手段を強化してコストアップをしてしまう虞がある。
【０００５】
そこで、本発明の目的は，コストアップを抑制しつつ衣類の噛み込みを抑制可能な洗濯機乾燥機を提供することにある。
【課題を解決するための手段】
【０００６】
水を溜める外槽と，該外槽内に回転可能に設けた洗濯兼脱水槽である内槽と，該内槽を回転駆動するモータと，前記内槽の上部に設けられた流体バランサと、前記外槽の上面に設けられた槽カバーと，前記槽カバーに設けられ、衣類投入口を覆うように設けられた内蓋と、を備え，前記槽カバーの裏側に凸形状を有する凸部を設けた。
【発明の効果】
【０００７】
本発明によれば，コストアップを抑制しつつ衣類の噛み込みを抑制可能な洗濯機乾燥機を提供できる。
【図面の簡単な説明】
【０００８】
【図１】本発明の実施形態に係る洗濯機乾燥の斜視図である。
【図２】本発明の洗濯機乾燥の内部構造を示す右側面断面図である。
【図３】槽カバー２３と内蓋２４を裏側（下方）から見た斜視図である。
【図４】槽カバー２３と内蓋２４を表側（上方）から見た図である。
【図５】洗濯機乾燥１００の図４におけるＡＡ´断面図である。
【図６】図５のＸで囲まれた領域（洗濯乾燥機の前方側）の拡大図である。
【図７】図５のＹで囲まれた領域（洗濯乾燥機の後方側）の拡大図である。
【発明を実施するための形態】
【０００９】
以下，本発明の実施例について図面を用いて詳細に説明する。
【実施例１】
【００１０】
図１は洗濯機乾燥１００の外観斜視図，図２は洗濯機乾燥１００の右側面断面図である。図１より，洗濯機１００は外郭を構成する筺体１を備え，筺体１の上部にトップカバー２を設けてあり，筐体１の下部にベース３が設けられている。ベース３には４つの脚が設けられているが，その内洗濯機本体に向かって右前の１箇所に高さが可能な調整脚３ａが設けられており，残りの３箇所は高さの調整ができない固定脚３ｂが設けられている。洗濯機を設置する際には，この調整脚３ａの高さを調整することで，本体の傾きやガタつきを調整する。また，トップカバー２には衣類投入口２ａを覆うように外蓋２ｂが設けられている。トップカバー２の前側には，電源スイッチ４や操作スイッチ５，表示器６を備えた操作パネル７が設けられている。なお，操作パネル７は，筺体１の背面に設けた制御装置１４に電気的に接続している。
【００１１】
筺体１の内部には，水を溜める外槽１０が四隅を吊り棒を介して筐体１に弾性支持されている。外槽１０の背面には，エアトラップ２１ａが設けてあり，その内部の圧力がチューブ２１ｂを介して水位センサ２１に伝えられ，外槽１０内に溜められた水の水位を検知する。筐体１の前方の隅には，安全スイッチ３１が設けられており，脱水時に外槽１０が振動した際に，所定の振動変位以上となった際に検知する構造となっている。
【００１２】
外槽１０の内部には，衣類を収納するための内槽８を備える。内槽８は，その外周壁に通水および通風のための多数の小さな貫通孔８ａと，その底壁に通水および通風のための複数の貫通孔８ｂを有し，その上縁部に流体バランサ９を備え，底部の内側には回転翼１１を回転自在に支持している。
【００１３】
外槽１０の底部の外側にはモータ１３が設けてあり，クラッチ機構１２を制御することで，内槽８と回転翼１１の回転を次のように動作させることが出来る。１つは，内槽８を静止させるように係止，または自由に回転できるように解放した状態で回転翼１１を繰り返し正逆回転させる動作で，主に衣類を撹拌させる場合に用いる。もう１つは，内槽８と回転翼１１を一体として同一方向に回転させる動作で，主に脱水する場合に用いる。
【００１４】
外槽１０の上面には槽カバー２３が設けてあり，槽カバー２３は上面と下面を連通する衣類投入口２３ａ，温風吹き出し口２３ｂ，給水入口２５ａを備える。また，槽カバー２３には，衣類投入口２３ａを覆うように内蓋２４が設けてあり，ヒンジ２４ａにより開閉自在とする。内蓋２４は，取っ手２４ｂを上方に持ち上げることでロックが解除されて開き，下方に押すことでロックされる。
【００１５】
外槽１０の後側には乾燥ダクト１０ｃを設けている。乾燥ダクト１０ｃは蛇腹１０ｄを介して，乾燥ユニット１９に接続している。乾燥ユニット１９は，送風ファン１９ａの熱源であるヒータ１９ｂと，温度センサ１９ｃを備える。乾燥ユニット１９は，蛇腹２３ｃを介して，槽カバー２３に設けられた温風吹き出し口２３ｂに接続される。ヒータ１９ｂで温度を上昇させた空気を，送風ファン１９ａより循環することで衣類の乾燥を行う。また，筺体１には給水口２ｃに接続した給水電磁弁２５が設けてあり，内槽８や乾燥ダクト１０ｃに給水可能となっている。外槽１０の下部には排水するための排水口１０ｂを備えており，排水弁１５を介して排水ホース２４が接続している。
【００１６】
内槽８の上部に設ける流体バランサ９は，合成樹脂等でリング状に形成され，内部にいくつかの流路を有している。この流路には液体が封入されており，脱水時に振動が発生した際に，振動を低減する効果がある。具体的には，脱水時に衣類の片寄り（以下，アンバランス）により振動が生じた場合，共振回転数より高い回転数では，アンバランスの方向に対して位相が１８０度ずれた方向に振動する。この時，流体バランサ９内の液体は振動した方向に片寄ることになる。すなわち，アンバランスに対して，１８０度ずれた位置に片寄るため，アンバランスを相殺することができ，振動を低減することができる。
【００１７】
図３は、槽カバー２３と内蓋２４を裏側（下方）から見た斜視図である。槽カバー２３の裏側には、衣類噛み込みを抑制するための、凸形状を有する凸部５０ａ及び５０ｂが設けられている。凸部５０ａは槽カバー２３の前側に設けられており、凸部５０ｂは槽カバー２３の後側に設けられている。
【００１８】
図４は、槽カバー２３と内蓋２４を表側（上方）から見た図であり、図５は、洗濯機乾燥１００の図４におけるＡＡ´断面図である。図５のＸで囲まれた領域（洗濯乾燥機の前方側）の拡大図が図６であり、図５のＹで囲まれた領域（洗濯乾燥機の後方側）の拡大図が図７ある。
【００１９】
図６に示すように、槽カバー２３の裏側には、流体バランサ９よりも中心側に凸形状を有する凸部５０ａが設けられているため、衣類が流体バランサ９と槽カバー２３の間に挟まって傷むことを低減出来る。脱水中等において、凸部５０ａにより、図６の矢印の方向に示すように、衣類は流体バランサ９の傾斜面９ｂに当てて、内槽８内に引き込むことが出来る。そのため、凸部５０ａの内周側にも傾斜面を備えることが望ましい。
【００２０】
また、流体バランサ９と凸部５０ａの間に隙間Ｓを設けている。これにより、脱水時等の外槽１０が傾くことによる、流体バランサ９と凸部５０ａの干渉を抑制している。
【００２１】
また、凸部５０ａは流体バランサ９の上底９ａよりも下に延びていることで、効果的に衣類噛み込みを抑制できる。ただし、容量確保の関係上、凸部５０ａは流体バランサ９の底部よりも上にあることが望ましい。また、凸部５０ａを、流体バランサ９の傾斜面９ｂよりやや上方に設けることで、効果的に衣類を流体バランサ９の傾斜面９ｂに当てて、内槽８内に引き込むことが出来る。
【００２２】
図７を用いて説明する。洗濯乾燥機の後方側の槽カバー２３の裏側には凸部５０ｂに設けられている。図６と大きく異なる点は、凸部５０ｂの、内槽８の回転軸に対する周方向の長さＬ２は凸部５０ａのそれとりも長い。つまり、図３に示す通り、槽カバー２３の後側の方が前方側に比べて凸部５０の領域が大きい。これは、槽カバー２３の出来るだけ多くの領域に凸部５０を設けた方が衣類噛み込みの抑制の効果を期待でき、槽カバー２３の後側の面積の方が乾燥ユニット１９等の配置の関係で大きいからである。
【００２３】
その他の構成等は図６と同様であるため説明を省略する。
【００２４】
以上本実施例によれば、槽カバー２３の裏側に、流体バランサ９よりも中心側に凸形状を有する凸部５０が設けることで、コストアップを抑制しつつ衣類の噛み込みを抑制可能な洗濯機乾燥機を提供できる。
【符号の説明】
【００２５】
１      筺体
３      ベース
８      内槽
９      流体バランサ
１０      外槽
１１      回転翼
１２      クラッチ機構
１３      モータ
【図１】
2018192176.tif 000003
【図２】
2018192176.tif 000004
【図３】
2018192176.tif 000005
【図４】
2018192176.tif 000006
【図５】
2018192176.tif 000007
【図６】
2018192176.tif 000008
【図７】
2018192176.tif 000009